(57)【特許請求の範囲】
【請求項１】
本体部と、
前記本体部の前面を覆うように、前記本体部の前面の左右の一方の側辺まわりに横開き可能に取り付けられた枠体と、
前記枠体の側面に設けられ、外部から視認可能な装飾パネル部であって、前記枠体に設けられたパネル収容部と、前記パネル収容部に着脱可能に収容された装飾パネルと、前記パネル収容部の出入口を開閉するための蓋部材とを有する装飾パネル部と、
前記枠体が前記本体部に対して閉じられた状態であるときに、前記蓋部材を外部から操作不能な状態に保つことにより前記パネル収容部に対する前記装飾パネルの着脱を阻止し、かつ前記枠体が前記本体部に対して開かれた状態であるときに、前記パネル収容部に対する前記装飾パネルの着脱を可能にする着脱阻止構造とを含む、遊技機。
【発明の詳細な説明】
【技術分野】
【０００１】
本発明は、パチンコ機などの遊技機に関する。
【背景技術】
【０００２】
パチンコ機は、外枠と、その外枠の正面側に開閉可能に取り付けられ、遊技盤を保持する保持枠と、保持枠の正面側に開閉可能に取り付けられた前扉とを備えている。前扉の前面には、たとえば装飾ランプが取り付けられている。また、前扉には、たとえばガラス板などの透明板により覆われた開口が形成されており、保持枠に保持された遊技盤を、透明板を介して視認することができるようになっている。
【０００３】
従来から、遊技機の機種に対応する装飾意匠（機種名や、機種名にちなんだロゴ、機種に関連するオリジナルデザイン等を含む）が描かれた装飾パネルを有する装飾パネル部を、前扉の前面に配設したものが知られている（たとえば特許文献１）。装飾パネルは着脱可能に設けられている。そのため、機種変更の際に装飾パネルを遊技機の機種に対応したものに変更することにより、コストをかけずに前扉の意匠を、機種変更後の遊技機に対応させることができる。
【先行技術文献】
【特許文献】
【０００４】
【特許文献１】特開２００２−３４６１６１号公報（図１３等参照）
【発明の開示】
【発明が解決しようとする課題】
【０００５】
しかしながら、前述のように前扉（枠体）には開口が形成されており、しかもこの開口は年々大型化している。また、前述のように、前扉の前面には通常装飾ランプが配設されており、前扉の前面にはほとんど空きスペースがない。そのため、前扉の前面に装飾パネル部を設けようとすると、この装飾パネル部は極めて小型化してしまう。装飾パネル部が小面積であると、どうしてもデザイン性に欠けてしまい、遊技客に対して効果的にアピールできないという問題がある。
【０００６】
本発明は、かかる背景のもとでなされたものであり、大面積の装飾パネル部を枠体に設け、これにより、遊技客に対して効果的にアピールできる遊技機を提供することを目的とする。
【課題を解決するための手段】
【０００７】
前記の目的を達成するための請求項１記載の発明は、本体部（３）と、前記本体部の前面を覆うように、前記本体部の前面の左右の一方の側辺まわりに横開き可能に取り付けられた枠体（６）と、前記枠体の側面に設けられ、外部から視認可能な装飾パネル部であって、前記枠体に設けられたパネル収容部（２４）と、前記パネル収容部に着脱可能に収容された装飾パネル（２３）と、前記パネル収容部の出入口を開閉するための蓋部材（３２）とを有する装飾パネル部と、前記枠体が前記本体部に対して閉じられた状態であるときに、前記蓋部材を外部から操作不能な状態に保つことにより前記パネル収容部に対する前記装飾パネルの着脱を阻止し、かつ前記枠体が前記本体部に対して開かれた状態であるときに、前記パネル収容部に対する前記装飾パネルの着脱を可能にする着脱阻止構造（３２，７０Ａ）とを含む、遊技機（１）である。
【０００８】
なお、括弧内の数字は、後述の実施形態における対応構成要素等を表すが、特許請求の範囲を実施形態に限定する趣旨ではない。以下、この項において同じ。
この構成によれば、枠体の側面に装飾パネル部が設けられている。枠体の側面には演出部材（ランプ）や開口を設ける必要がないので、枠体の側面に装飾パネル部を設けることにより、この装飾パネル部を大面積化することも可能である。したがって、大面積の装飾パネル部を枠体に設けることが可能であり、これにより、周囲の遊技客に対して効果的にアピールすることができる。
また、枠体が本体部に対して開状態であるときは、装飾パネルの着脱を行うことができるが、枠体が本体部に対して閉状態であるときは、装飾パネルの着脱を行うことができない。そのため、装飾パネルが不正に着脱されるのを防止することができる。
この構成によれば、枠体が閉状態であるときに、パネル収容部の出入口を開閉するための蓋部材が、外部から操作不能な状態に保たれるようになる。したがって、枠体を開けてからでないと、パネル収容部に対して装飾パネルを出し入れすることができない。
【図面の簡単な説明】
【００１５】
【図１】本発明の一実施形態に係る遊技機主要部の外観構成を示す斜視図である。
【図２】図１に示す遊技機主要部の背面図である。
【図３】図１に示す遊技機主要部の右側面図である。
【図４】図１に示す遊技機主要部の左側面図である。
【図５】図１に示す遊技機主要部の平面図である。
【図６Ａ】右辺ユニットを右奥側から見た斜視図である。
【図６Ｂ】図３に示すパネル収容部（右辺ユニットの膨出部）に収容される装飾パネルを示す図である。
【図６Ｃ】図６Ａに示す右辺ユニットから要部構成を取り除いた状態を示している。
【図７】図３に示すパネル収容部から、右カバー枠および右透明カバーを取り除いた状態を示す図である。
【図８】図７に示す状態のパネル収容部から、さらに拡散板を取り除いた状態を示す図である。
【図９】図８に示す状態のパネル収容部から、さらに上側および下側ＬＥＤ基板を取り除いた状態を示す図である。
【図１０】図３に示すパネル収容部からの装飾パネルの取外しを説明するための図である。
【図１１】前扉が前枠に対して閉状態であるときのパネル収容部の上部の断面図である。
【発明を実施するための形態】
【００１６】
以下には、図面を参照して、本発明の実施形態について具体的に説明する。
図１は、本発明の一実施形態に係る遊技機１主要部の外観構成を示す斜視図である。図２〜図５は、それぞれ、遊技機１主要部の背面図、右側面図、左側面図および平面図である。  この実施形態では、遊技機１は、遊技盤５に向けて遊技玉を発射して遊技を行うパチンコ機である。遊技店には遊技島が配置されている。遊技島は、たとえば、複数の遊技機および複数の台間機（遊技媒体貸出装置）が所定方向に交互に並べることにより構成されている。各遊技機１の左隣にある台間機（図示しない）が、当該遊技機１に対する専用機とされている。台間機は、遊技者によって入金された紙幣、または一般カードや会員カード等のカードに関連付けられた有価価値に基づいて、対応する遊技機１で遊技するための遊技玉（遊技媒体）を貸し出す処理を行う機能を備えている。遊技機１および台間機の設置状態では、遊技機１の前面と台間機の前面とはほぼ同一平面上に位置する。
【００１７】
図１に示すように、遊技機１は、遊技店内に配列された島設備への取付け（設置）のための上下左右の枠からなる矩形の外枠（図１では図示しない。図１０参照）２と、外枠２の前面（正面）側に、片開き（横開き）可能に取り付けられ、数字や図柄等を表示するための可変表示装置（図示しない）等が備えられた遊技盤５を保持するための前枠（保持枠）３とを備えている。
【００１８】
前枠３は上下左右の枠を有し、正面形状が矩形をなしている。前枠３の上部分には遊技盤５が収容保持されており、前枠３の下部分には発射手段（図示しない）が収容保持されている。前枠３における遊技盤５が収容される部分（すなわち、前記の上部分）の正面側には、前扉（透明板扉）６が開閉可能に取り付けられている。また、前枠３の正面側には、前扉６の下方に、下部開閉板（玉皿扉。図示しない）が開閉可能に設けられている。
【００１９】
前扉６は、前枠３の前面の左側辺の上端部および下端部にそれぞれ設けられた蝶番４Ａ，４Ｂによって、蝶番４Ａ，４Ｂの回動軸まわり、すなわち前枠３の前面の左側辺まわりに回動可能に保持されている。そのため、前扉６は横開き（右開き）可能に設けられている。
前扉６には、遊技盤５に対向する位置に略円形の開口８が形成されている。この開口８は大型化しており、前扉６に対して高い比率を占めている。開口８にはガラス板などの透明板９が嵌められていて（覆われていて）、前扉６を閉じた状態（閉状態）で、その透明板９を介して、透明板９の奥側の遊技盤５を視認することができるようになっている。前扉６の前面上部には、左右一対のスピーカ１０が配設されている。前扉６の前面下部には、遊技機１の演出用に用いられる一または複数（図１ではたとえば３つ）の演出ボタン１３が配設されている。また、前扉６の前面における開口８、スピーカ１０および演出ボタン１３が配設されている領域を除く領域には、種々の装飾ランプ１１が分散して配設されている。
【００２０】
前扉６の右下部には、前扉６を前枠３に施錠（ロック）するための鍵機構１２が設けられている。この鍵機構１２では、前扉６を前枠３に対して閉じることにより施錠されるようになっている。また、鍵機構１２の鍵穴１２Ａに遊技店の店員などが鍵を挿入して所定方向に回転させることにより、鍵機構１２が解錠されて、前扉６を開くことが可能になっている。
【００２１】
下部開閉板（図示しない）には、遊技に使用する遊技玉を貯留しておくための上皿（図示しない）と、上皿から溢れた遊技玉をオーバーフロー路（図示しない）を通して受け止める下皿（図示しない）とが上下に並んで設けられている。また、下皿の右側には、遊技玉を遊技盤５に打ち出す際に操作されるハンドル（図示しない）が配設されている。
なお、図１、図３および図４では、下部開閉板の図示を省略している。それに伴って、上皿、下皿およびハンドルの図示も省略されている。しかしながら、この遊技機１には、前述の通り前扉６の下方に下部開閉板が設けられており、その下部開閉板に、上皿、下皿およびハンドルが配設されている。
【００２２】
図２に示すように、前枠３はたとえば樹脂材料を用いて形成されていて、その中央部および右部（図２に示す左部）には窓１５が形成されている。窓１５内は、主制御基板や電源基板など種々の基板を配置するためのスペースである。
前枠３は、玉受け部と、玉整流部と、賞玉払出装置と、玉通路とを備えている。玉受け部は、上面が開放された箱状に形成されている。玉受け部は、この遊技機１が設置される遊技機島内の玉循環機構（図示せず）から供給された遊技玉を貯留しておく。玉受け部の下部に形成された玉出口は玉整流部と連通している。玉整流部の下端は賞玉払出装置に接続されており、これにより、玉整流部に流入した遊技玉は、一列に整列して賞玉払出装置に供給されるようになっている。賞玉払出装置から払い出される遊技玉は、玉通路および前枠３の下部に形成された供給口（図示しない）を通って、賞玉または貸玉として上皿（図示しない）に払い出される。図２では、前枠３の各構成要素（玉受け部、玉整流部、賞玉払出装置、および玉通路）は、図示されていない。
【００２３】
図１および図３〜図５に示すように、前扉６の前面部は、透明板９よりも一段正面寄りに位置する略平坦な前面部２１（図１および図４参照）と、前扉６の右側辺部に、前扉６の右側辺に沿って配置された右辺ユニット２２と、前扉６の上辺部に、前扉６の上辺に沿って配置された上辺ユニット２０とを備えている。図１に示すように、前面部２１には、前述のスピーカ１０、装飾ランプ１１および演出ボタン１３が配設されている。
【００２４】
右辺ユニット２２の右側面には、装飾パネル２３を有する装飾パネル部２４が設けられている。この実施形態では、右辺ユニット２２における下部分２５を除く部分が装飾パネル部２４（図１および図３参照）として機能する。なお、図３には後述するパネル収容部３０に装飾パネル２３が収容された状態を示している。
図３および図４に示すように、右辺ユニット２２の下部分２５の前端面は、前面部２１の前面よりもやや正面側に位置する平坦面である。また、右辺ユニット２２における下部分２５を除く部分には、正面側に向けて膨出する略扁平状をなす膨出部２６が設けられている。膨出部２６は、右辺ユニット２２の上半分に相当する上部分２７と、右辺ユニット２２の上下方向の中央部に相当する中央部分２８とを備えている。上部分２７の前端面は、下部分２５の前端面よりも一定量正面側に向けて膨出し、かつ下部分２５の前端面と平行をなしている。中央部分２８の前端面は、上方に向かうに従って正面側に向かうように傾斜する傾斜面である。中央部分２８の前端面の上端部は上部分２７の前端面につながっており、また、中央部分２８の前端面の下端部は下部分２５の前端面につながっている。
【００２５】
図１および図５に示すように、上辺ユニット２０は、前扉６における上辺部のほぼ全域から、正面側に向けて膨出する略扁平状のものである。上辺ユニット２０は水平平坦面からなる上面を有しており、この上辺ユニット２０の上面は、右辺ユニット２２の上端面（膨出部２６の上端面）と同一の平面上に配置されている。上辺ユニット２０の前面は緩やかな凸湾曲面に形成されている。上辺ユニット２０の左端部の正面側は後方に向けて大きく切り欠かれており、略円弧状の凹湾曲面からなる凹部２９が形成されている。たとえば、この遊技機１と同様の遊技機が複数台、遊技島に一列に並べられたときに、ある遊技機１の前扉６を開状態にしたとき（その開度をたとえば約１００°としたとき）、上辺ユニット２０と、その遊技機１の左隣の遊技機の右辺ユニット２２（または、各遊技機１の左隣にある台間機（図示しない））とが干渉しないように、この凹部２９が形成されている。上辺ユニット２０の前面の右端部は、右辺ユニット２２の上部分２７の前端面と同一平面を有している。
【００２６】
また、遊技機１を島設備に設置した状態で、前扉３のうち、前面部２１や右辺ユニット２２の下部分２５は、島設備の前面からほとんど突出しない。これに対し、前扉３のうち、右辺ユニット２２の膨出部２６および上辺ユニット２０は、島設備の前面から大きく前方に突出する。
図６Ａは、右辺ユニット２２を右奥側から見た斜視図である。図１および図６Ａに示すように、前扉６の板状本体の右端辺の前面にネジ止め等により固定される。このとき、右辺ユニット２２の右側面が前端枠７０の右辺部７０Ｃと略同一平面を有している。また、右辺ユニット２２の上端面が前端枠７０の上辺部７０Ａと略同一平面を有している。右辺ユニット２２の下端部は、前記の下部開閉板（図示しない）の右端部上方に位置している。
【００２７】
また、図３および図６Ａに示すように、装飾パネル部２４は、装飾パネル２３と、装飾パネル２３を外部から視認可能に収容保持するためのパネル収容部３０とを備えている。この実施形態では、パネル収容部３０とは、右辺ユニット２２の膨出部２６のことを言う。装飾パネル２３は、パネル収容部３０に対し着脱可能に設けられている。具体的には、装飾パネル２３は、右辺ユニット２２の膨出部２６内における、後述する飾り用樹脂板５０ と、後述する拡散板５３とによって挟まれる狭空間からなるパネル収容領域に収容される。
【００２８】
図３、図４および図６Ａに示すように、右辺ユニット２２は上下方向に長手を有する扁平箱状をなしている。右辺ユニット２２は、右カバー枠３４（図３等参照）と、右カバー枠３４の内面（左面）に固定的に取り付けられた右透明カバー３７（図３等参照）と、左カバー枠３５（図４等参照）と、左カバー枠３５の内面（右面）に固定的に取り付けられた左透明カバー３８（図４等参照）とを備えている。これら右カバー枠３４および右透明カバー３７によって右辺ユニット２２の右側面が構成されており、左カバー枠３５および左透明カバー３８によって右辺ユニット２２の左側面が構成されている。左カバー枠３５の下端部には、前面扉６の下辺右部に配置される飾り部１０１が一体化されている。飾り部１０１は横長のＬ字状（正面視でＬ字を左右反転させた形状）に形成されており、正面視で、遊技盤５と下部開閉板（図示しない）との間に上下に挟まれる位置に配置される。なお、飾り部１０１の前面は、下部分２５の前端面と略同一平面を有している。
【００２９】
一対のカバー枠３４，３５によって区画される（挟まれる）空間の前端面は、後述する正面レンズ３６によって閉塞されている。また、この空間における後端面の上部分（膨出部２６に対応する部分）は、次に延べる補強用板金１０２の後面板１０３によって閉塞されている。この空間における後端面の下部分（下端部２５に対応する部分）および下端面は、合成樹脂製の配線収容部１０４によって閉塞されている。また、この空間における上端面には上部開口（出入口）３１（図６Ａ参照）が形成されており、上部開口（出入口）３１が蓋部材３２（着脱阻止構造。図６Ａ参照。）によって開閉される。換言すると、蓋部材３２、カバー枠３４，３５、正面レンズ３６、透明カバー３７，３８および補強用板金１０２によって、パネル収容部３０の外郭、換言すると右辺ユニット２２の膨出部２６の外郭が構成されている。
【００３０】
上部開口３１は、右辺ユニット２２内に形成されているパネル収容領域と連通している。上部開口３１は蓋部材３２によって開閉されている。蓋部材３２は上部開口３１を閉塞できる大きさおよび形状を有する板状部材であり、上部開口３１の左右に延びる前端辺に沿って設けられた回動軸線（図示しない）まわりに回動できるように、蓋部材３２が右辺ユニット２２の上部に取り付けられている。蓋部材３２の先端部には、蓋部材３２と平行に突出する先端片６０（図６Ａ等参照）が形成されている。蓋部材３２は、上部開口３１の左右に延びる前端辺に沿う回動軸３２Ａ（後述する図６Ｃ参照）に、回動自在に取り付けられている。蓋部材３２は、上部開口３１を塞ぐことのできる水平姿勢と、鉛直姿勢との間で回動自在に設けられている。パネル収容部３０に対する装飾パネル２３の取付けまたは取外しは、作業者が蓋部材３２の先端片６０をつまんで上方に引き出し、蓋部材３２を鉛直姿勢にすることにより、上部開口３１を開放させた状態で行われる。
【００３１】
図６Ｂは装飾パネル２３を示す図である。装飾パネル２３は、ポリ塩化ビニル（ＰＶＣ）などの透明樹脂材料を用いて形成された可撓性シートである。また、装飾パネル２３は必ずしも可撓性を有する必要はなく、この場合、ＰＥＴ（Polyethylene terephthalate）やポリカーボネート（ＰＣ。Polycarbonate）などを採用することもできる。装飾パネル２３は、下部を除く部分が矩形状であり（上部の２つの角がそれぞれ直角であり）、かつ側方の二辺の長さがそれぞれ異なる四角形状に形成されている。換言すると、下部を除く部分が矩形状でありかつ下部が先鋭状である台形状に形成されている。装飾パネル２３の表面（右面）には、遊技機１の機種に関連する装飾意匠（その遊技機１の機種名や、機種名にちなんだロゴ、機種に関連するオリジナルデザイン等を含む）が色付きで描かれている。装飾パネル２３に対し、背面側（図６Ｂに示す背面側。すなわち左方）から後述するバックライトからの光が照射されると、装飾パネル２３の前面（図６Ｂに示す前面）から見たときの装飾パネル２３前面の意匠が明るくなる。次に述べるようにパネル収容部３０は大面積化されており、そのため、装飾パネル２３（装飾パネル部２４）も大面積化されている。
【００３２】
図６Ｃは、図６Ａに示す右辺ユニット２２から、右カバー枠３４および右透明カバー３７を取り除き、さらに、次に述べる拡散板５３ならびに上側および下側ＬＥＤ基板５１，５２を取り除いた構成を示している。また、図７〜図９はパネル収容部３０（右辺ユニット２２の膨出部２６）を示す側面図である。図７は、パネル収容部３０から、右カバー枠３４および右透明カバー３７を取り除いた構成を示している。図８は、図７に示す状態から次に述べる拡散板５３を取り除いた構成を示している。図９は、図８に示す状態から、次に述べる上側および下側ＬＥＤ基板５１，５２を取り除いた構成を示している。以下、図３、図４、図６Ａ、図６Ｃおよび図７〜図９を参照して、右辺ユニット２２の膨出部２６の外郭構成および内部構成について具体的に説明する。
【００３３】
パネル収容部３０（すなわち右辺ユニット２２の膨出部２６）は前扉６の右側面に設けられている。また換言すると、パネル収容部３０は、膨出部２６の右側面に形成されていると言うこともできる。前扉６の右側面には装飾ランプや開口が設けられておらず、またパネル収容部３０が膨出部２６に形成されているので、パネル収容部３０は大面積化されている。
【００３４】
図３および図６Ａに示すように、右カバー枠３４は、ＡＢＳ樹脂やポリカーボネート（Polycarbonate）等の合成樹脂製の枠体であり、装飾パネル２３の外周部と同等の矩形状をなす本体枠３９と、本体枠３９の前杆の上下方向途中部と本体枠３９の後杆の上下方向途中部とを連結し、前方に向かうに従って下方に向かう連結枠４０と、本体枠３９の下方に設けられた直線状の下部直線部４１とを備えている。
【００３５】
図４に示すように、左カバー枠３５は、ＡＢＳ樹脂やポリカーボネート（Polycarbonate）等の合成樹脂製 の枠体であり、装飾パネル２３の外周部と同等の矩形状をなす本体枠４２と、本体枠４２の前杆の上下方向途中部と本体枠４２の後杆の上下方向途中部とを連結し、前方に向かうに従って下方に向かう第１および第２連結枠４３，４４と、本体枠４２の前杆の上下方向途中部と、本体枠４２の後杆の上下方向途中部とを連結し、後方に向かうに従って下方に向かう第３連結枠４５と、本体枠４２の下方に設けられた直線状の下部直線部４６とを備えている。第１および第３連結枠４３，４５の前端同士がつながっており、第２および第３連結枠４４，４５の後端同士がつながっている。図６Ｂに示すように、左カバー枠３５の右面には、右方向に向けて突出する円筒状のボス部１０５が、略上下方向に並んで形成されている。各ボス部１０５の先端面には、右方に臨むネジ孔１０６が複数個形成されている
図４および図６Ｂに示すように、左カバー枠３５の右隣には、左透明カバー３８が配置される。左透明カバー３８は左カバー枠３５の外周部と整合する板状をなしており、その表面には、薄い大小の円筒模様が複数形成されている。この左透明カバー３８は、ＡＢＳ樹脂やポリカーボネート（Polycarbonate）等の合成樹脂材料を用いて形成されている。左透明カバー３８には、複数のボス部１０５がそれぞれ挿通するための丸孔からなるカバー側挿通孔（図示しない）が複数個形成されている。図６Ｂに示すように、左透明カバー３８の右隣には、補強用板金１０２が配置されている。補強用板金１０２は、左透明カバー３８に重なる補強枠１０７と、この補強枠１０７と直交するように当該補強枠１０７に一体化された後面板１０３とを備えている。
【００３６】
補強枠１０７は、左右方向に関して、左カバー枠３５に略整合する形状を有している。すわなち、補強枠１０７は、装飾パネル２３の外周部と同等の矩形状をなす本体枠１４２と、本体枠１４２の前杆の上下方向途中部と、本体枠１４２の後杆の上下方向途中部とを連結し、前方に向かうに従って下方に向かう第１および第２連結枠１４３，１４４と、本体枠１４２の前杆の上下方向途中部と、本体枠１４２の後杆の上下方向途中部とを連結し、後方に向かうに従って下方に向かう第３連結枠１４５と、本体枠１４２の下方に設けられた直線状の下部直線部１４６とを備えている。第１および第３連結枠１４３，１４５の前端同士がつながっており、第２および第３連結枠１４４，１４５の後端同士がつながっている。そして、本体枠１４２は、左右方向に関して左カバー枠３５の本体枠４２に整合しており、第１、第２および第３連結枠１４３，１４４，１４５は、それぞれ左右方向に関して左カバー枠３５の第１、第２および第３連結枠４３，４４，４５に整合している。補強用板金１０２の補強枠１０７には（本体枠１４２および各連結枠１４３，１４４，１４５）、複数のボス部１０５がそれぞれ挿通するための丸孔からなる板金側挿通孔１３０が複数個形成されている。
【００３７】
後面板１０３は、正面レンズ３６と略同じ幅の縦長の矩形板であり、補強用板金１０２の後端縁に沿って配設されている。補強用板金１０２の下端は、配線収容部１０４の直上方にまで達している。この後面板１０３に形成されたネジ挿通孔１０８を介して、右辺ユニット２２が前扉６の本体（前扉６から右辺ユニット２２等を取り除いた本体）にネジ止めされることにより、右辺ユニット２２の前扉６本体への固定が達成される。
【００３８】
図６Ｃに示すように、左カバー枠３５、左透明カバー３８および補強用板金１０２を互いに組み付けた状態では、左カバー枠３５の複数のボス部１０５が、左透明カバー３８および補強用板金１０２を貫通して補強用板金１０２の右側に露出している。具体的には、ボス部１０５は、左透明カバー３８のカバー側挿通孔（図示しない）および補強用板金１０２の板金側挿通孔（図示しない）をそれぞれ通っており、ネジ孔１０６が補強用板金１０２の右方に臨んでいる。複数のボス部１０５が左透明カバー３８および補強用板金１０２を通っているので、これにより、左透明カバー３８、補強用板金１０２および左カバー枠３５のより強固な一体化を図ることができる。
【００３９】
また、図６Ｃに示すように、補強用板金１０２の後面板１０３の下端部には、右カバー枠３４を左カバー枠３５にネジ止めするためのネジ孔１３２が形成されている。このネジ孔１３２は、右方向に向けて突出する円筒状のボス部１３１の先端面に形成されている。
正面レンズ３６は、右辺ユニット２２の前辺（すなわち、左カバー枠３５の前辺および右カバー枠３４の前辺）に沿う略帯状を有しており、換言すると、その下部が上部に比較して後方側に位置するような湾曲状に形成されている。具体的には、正面レンズ３６は、右辺ユニット２２の上部分２７（図３参照）に対応して設けられる第１レンズ部１１１と、右辺ユニット２２の中央部分２８（図３参照）に対応して設けられる第２レンズ部１１２と、右辺ユニット２２の下部分２５（図３参照）に対応して設けられる第３レンズ部１１３とを備えている。第１レンズ部１１１は鉛直方向に延び、第３レンズ部１１３は第１レンズ部１１１と平行に鉛直方向に延びている。第２レンズ部１１２は、第１レンズ部１１１の下端部と、第３レンズ部１１３の上端部とをつなげており、下方に向かうに従って後ろになるように傾斜している。正面レンズ３６は、略同一形状の一対の帯状レンズ体を前後に重ね合わせることにより構成されている。
【００４０】
第１レンズ部１１１の後ろ隣には、第１ＬＥＤ基板１１４が配設されている。第１ＬＥＤ基板１１４は、第１レンズ部１１１の正面形状に整合する略矩形をなしている。第２レンズ部１１２の斜め後ろ隣には、第２ＬＥＤ基板１１５が配設されている。第２ＬＥＤ基板１１５は、第２レンズ部１１２の正面形状に整合する略矩形をなしている。第１レンズ部１１１の後ろ隣には、矩形の第３ＬＥＤ基板１１６が配設されている。各ＬＥＤ基板１１４，１１５，１１６の両面（第２ＬＥＤ基板１１５は、前斜め下の面）には、それぞれ一または複数のＬＥＤ（図示しない）が配置されている。各ＬＥＤ基板１１４，１１５，１１６には、遊技機１の演出制御を司る演出制御基板（図示しない）に接続され、この演出制御基板によってＬＥＤ基板１１４，１１５，１１６が発光制御されている。
【００４１】
ＬＥＤ基板１１４，１１５，１１６のＬＥＤが発光すると、その光は正面レンズ３６によって拡散され、全てのレンズ部１１１，１１２，１１３、すなわち右ユニット２２の前端面が発光するようになっている。
なお、配線収容部１０４は、第１〜第３ＬＥＤ基板１１４〜１１６ならびに次に述べる上および下ＬＥＤ基板５１，５２の信号配線等を収容しつつ支持するための配線収容部である。配線収容部１０４は、第３レンズ部１１３の後方領域における第３ＬＥＤ基板１１６の上方に配置されている。
【００４２】
この左透明カバー３８、補強用板金１０２および正面レンズ３６、さらには左透明カバー３８によって区画される略箱状の内部空間に、飾り用樹脂板５０ 、上側ＬＥＤ基板５１および下側ＬＥＤ基板５２、ならびに拡散板５３が収容されている。具体的には、左カバー枠３５および左透明カバー３８側（左側）から、飾り用樹脂板５０、上側および下側ＬＥＤ基板５１，５２ならびに拡散板５３の順で積層配置されている。左透明カバー３８の右隣には、枠状の補強用板金１０２の補強枠１０７を介して、飾り用樹脂板５０が配置されている。
【００４３】
飾り用樹脂板５０は多数の凹凸状の装飾意匠が形成された合成樹脂板であり、側面視（右側面視）で装飾パネル２３とほぼ同じ形状および大きさを有している。飾り用樹脂板５０は、ＡＢＳ樹脂やポリカーボネート（Polycarbonate）等の合成樹脂を用いて形成されている。飾り用樹脂板５０の外表面には、たとえばメッキ加工が施されている。飾り用樹脂板５０、ボス部１０５のネジ孔１０６にネジ止めするためのネジを挿通させるための挿通孔１２４が一または複数個形成されている。そして、拡散板５３と右透明カバー３７との間に、飾り用樹脂板５０の右隣には、上側および下側ＬＥＤ基板５１，５２が配置されている。飾り用樹脂板５０における下部分を除く部分に対応して上側ＬＥＤ基板５１が配置されている。上側ＬＥＤ基板５１は前方下部の角部が切り欠かれた略矩形をなしており、飾り用樹脂板５０における下部分に対応して配置されている。
【００４４】
各ＬＥＤ基板５１，５２には、その両面に、それぞれ一または複数のＬＥＤ（図示しない）が間隔を隔てて分散配置されている。各ＬＥＤ基板５１，５２には、遊技機の演出制御を司る演出制御基板（図示しない）に接続され、発光制御されている。上側および下側ＬＥＤ基板５１，５２にはそれぞれ、ボス部１０５のネジ孔１０６にネジ止めするためのネジを挿通させるための挿通孔１２１が一または複数個形成されている。
【００４５】
上側および下側ＬＥＤ基板５１，５２の右隣には、所定間隔を空けて拡散板５３が配置されている。
図７に示すように、拡散板５３はたとえばアクリル板によって構成されており、側面視（右側面視）で、装飾パネル２３とほぼ同じ形状および大きさを有している。拡散板５３には、ボス部１０５のネジ孔１０６にネジ止めするためのネジを挿通させるための挿通孔１２１が一または複数個形成されている。そして、拡散板５３と右透明カバー３７との間に、装飾パネル２３を収容するためのパネル収容領域が形成されている。
【００４６】
拡散板５３、ＬＥＤ基板５１，５２および飾り用樹脂板５０は、左カバー枠３５（図４参照）に固定されている。これらの部材５３，５１，５２，５０の左カバー枠３５に対する固定はネジ止めによって達成される。具体的には、拡散板５３の挿通孔１２１、第１ＬＥＤ基板５１の挿通孔１２２および飾り用樹脂板５０の挿通孔１２４を介して、左カバー枠３５のボス部１０５（図６Ｃ参照）のネジ孔１０６にネジが螺合される。また、拡散板５３の挿通孔１２１、第２ＬＥＤ基板５２の挿通孔１２３および飾り用樹脂５０の挿通孔１２４を介して、左カバー枠３５のボス部１０５のネジ孔１０６にネジが螺合される。これらにより、前記の部材５３，５１，５２，５０の固定が達成される。
【００４７】
そして、パネル収容領域に装飾パネル２３が収容された状態では、周囲の遊技客は、右透明カバー３７を介して装飾パネル２３の表面（右面）を視認することができる。
パネル収容領域（図示しない）に装飾パネル２３が収容された状態では、ＬＥＤ５５から発せられた光は、拡散板５３を介して装飾パネル２３の裏面（左面）に与えられるようになっている。拡散板５３によって拡散された光が装飾パネル２３の裏面に与えられるので、装飾パネル２３の裏面に均一に光を供給することができる。これにより、装飾パネル２３の全域がまんべんなく明るく照射されるようになる。
【００４８】
以上によりこの実施形態では、前扉６の右側面に装飾パネル部２４が設けられている。具体的には、前扉６の右部に膨出部２６が形成されており、膨出部２６の右側面に装飾パネル部２４が設けられている。前扉６の右側面には装飾ランプや開口が設けられておらず、また装飾パネル部２４が膨出部２６に形成されているので、装飾パネル部２４は大面積化されている。これにより、前扉６のデザイン性をより一層向上させることができる。これにより、周囲の遊技客（とくに、遊技店の通路を歩いている遊技客）に対して効果的にアピールすることができる。
【００４９】
また、遊技機１を島設備に設置した状態で、膨出部２６が、島設備の前面から大きく前方に突出している。そのため、膨出部２６の側面に形成された装飾パネル部２４は、周囲の遊技客（とくに、遊技店の通路を歩いている遊技客）から見易い。これにより、装飾パネル部２４を用いて、周囲の遊技客に対して、より一層効果的にアピールすることができる。
【００５０】
図１０は、パネル収容部３０（右辺ユニット２２の膨出部２６）からの装飾パネル２３の取外しを説明するための図である。図１１は、前扉６が前枠３に対して閉状態であるときのパネル収容部３０（右辺ユニット２２の膨出部２６）の上部の断面図である。
図１０（ａ）および図１１に示すように、前枠３の前部分には、前端枠７０が設けられている。前端枠７０は、上辺部（着脱阻止構造）７０Ａおよび下辺部７０Ｂ（図１参照）と、右辺部７０Ｃおよび左辺部７０Ｄ（図４参照）とを有し、全体として四角枠状をなしている。上辺部７０Ａおよび下辺部７０Ｂはそれぞれ板状をなし、左右方向に水平に延びている。右辺部７０Ｃおよび左辺部７０Ｄはそれぞれ板状をなし、上下方向に鉛直に延びている。各辺部７０Ａ〜７０Ｄの前端面は同一面上に位置している。また、前端枠７０の各辺部７０Ａ〜７０Ｄは、前枠３を外枠２に取り付けた状態で、外枠２の対応する辺部と揃っている。
【００５１】
前扉６が前枠３に対して閉状態であるときには、蓋部材３２における先端片６０を除く部分は前枠３から露出しているが、図１１に示すように蓋部材３２の先端片６０が前枠３内、すなわち前端枠７０の上辺部７０Ａの下方に入り込んでいる。そのため、遊技機１の外部から作業者が蓋部材３２の先端片６０に触ることができず、したがって、作業者が蓋部材３２を開状態にすることができない。そして、図１０（ａ）および図１１に示す状態から、図１０（ｂ）に示すように前扉６を開くことにより、蓋部材３２の先端片６０が前枠３から前方に露出するようになる。
【００５２】
装飾パネル２３を取り出そうとする作業者は、この前枠を開いた状態で蓋部材３２を引き出して鉛直姿勢にし、上部開口３１を開放させる（図１０（ｃ）参照）。この状態で、パネル収容部３０（右辺ユニット２２の膨出部２６）に収容されている装飾パネル２３を取り出すことが可能になる。作業者は、図１０（ｄ）に示すように装飾パネル２３を取り出す。
【００５３】
また、装飾パネル２３の取付けは、装飾パネル２３の取出しと逆の動作で行う。
したがって、前扉６が前枠３に対して開状態であるときは、装飾パネル２３の着脱を行うことができる。その一方で、前扉６が前枠３に対して閉状態であるときは、蓋部材３２が外部から操作不能な状態に保たれ、装飾パネル２３の着脱を行うことができない。そして、前扉６を前枠３に施錠する鍵機構１２が設けられているので、鍵機構１２を解錠し、かつ前扉６を開けてからでないと、装飾パネル２３を着脱することができない。そのため、装飾パネル２３が不正に着脱されるのを防止することができる。
【００５４】
以上、この発明の一実施形態について説明したが、この発明は他の形態で実施することもできる。
本体部が遊技盤５を保持する前枠３であり、枠体が前扉６で場合を例に挙げて説明したが、たとえば枠体が前記の下部開閉板であってもよい。
また、装飾パネル２３は透明樹脂材料を用いて形成されているとして説明したが、半透明樹脂材料を用いて形成されていてもよいし、非透明の材料を用いて形成されていてもよい。
【００５５】
また、装飾パネル２３の前面の装飾意匠は、遊技機１の機種に関連するものでなくてもよい。たとえば、装飾意匠として、その遊技機１が設置されている遊技店の宣伝広告や遊技店からのメッセージ、それにちなんだデザイン等を用いることもできる。その他、他の宣伝広告やメッセージ、それにちなんだデザイン等を用いることもできる。
また、前述の実施形態では、装飾パネル２３を遊技機１の右側面に設ける構成を例に挙げて説明したが、装飾パネル２３を遊技機１の左側面に設ける構成であってもよいし、遊技機１の左右両側面に装飾パネル２３を設ける構成であってもよい。
【００５６】
また、本発明の一実施形態では、遊技機１としてパチンコ機を例に挙げて説明したが、本発明はパチンコ機に限らず、パチスロ機等の他の遊技機にも適用可能である。
本発明は、以上の実施形態の内容に限定されるものではなく、特許請求の範囲内において種々の変更が可能である。
【符号の説明】
【００５７】
１  遊技機
３  前枠（保持枠）
６  前扉（透明板扉）
１２  鍵機構
２３  装飾パネル
２４  装飾パネル部
２６  膨出部
３０  パネル収容部
３２  蓋部材（着脱阻止構造）
７０Ａ  上辺部（着脱阻止構造）
【図１】
0005893309.tif 000002
【図２】
0005893309.tif 000003
【図３】
0005893309.tif 000004
【図４】
0005893309.tif 000005
【図５】
0005893309.tif 000006
【図６Ａ】
0005893309.tif 000007
【図６Ｂ】
0005893309.tif 000008
【図６Ｃ】
0005893309.tif 000009
【図７】
0005893309.tif 000010
【図８】
0005893309.tif 000011
【図９】
0005893309.tif 000012
【図１０】
0005893309.tif 000013
【図１１】
0005893309.tif 000014